(57)【特許請求の範囲】
【請求項１】
地中に設けられたピットと、該ピットの前端側から後端側へ向って順に複数列にわたってピット内方へ垂下するように設けられ且つ内部にそれぞれ廃棄物固化体を収納し得るとともに下方から上方に向って空気流が流通し得る収納管と、該収納管の下部近傍の外周面と前記のピットの内周面との間を閉鎖する下部プレナム形成板と、収納管の上部近傍の外周面と前記のピットの内周面との間を閉鎖する上部プレナム形成板と、下部プレナム形成板よりも下方に位置するようにピットの前端下部に設けられた空気流入口と、該空気流入口へ外部の空気を送給する給気ブロワと、上部プレナム形成板よりも上方に位置するようにピットの後端上部に設けられた空気流出口と、該空気流出口から外部へ空気を排出する排気ブロワと、前記のピットの内部の下部プレナム形成板よりも下方の空間において該空間を前後に区分し且つピットの前後方向へ移動可能な仕切板と、該仕切板をピットの前後方向に移動させる移動機構と、前記の収納管の下端を閉止し得る収納管閉止プラグを備えてなることを特徴とする廃棄物固化体貯蔵設備。
【発明の詳細な説明】
【０００１】
【発明の属する技術分野】
本発明は、放射性廃棄物をガラス固化したガラス固化体や使用済み燃料を収納した容器等の廃棄物固化体を長期間にわたって貯蔵する廃棄物固化体貯蔵設備に関するものである。
【０００２】
【従来の技術】
近年、放射性廃液をガラス固化処理したガラス固化体、使用済み燃料を収納した容器等の廃棄物固化体を、放射性物質の崩壊熱が除去されるまで長期間にわたって貯蔵することが検討されている。
【０００３】
図３及び図４は強制風冷方式の廃棄物固化体貯蔵設備の一例を示すものであり、１は鉄筋コンクリート構造の躯体で、該躯体１は地表面近くの地中に設けられている。
【０００４】
この躯体１の内部には、ガラス固化体、あるいは使用済み燃料を収納した容器等の廃棄物固化体２を収納し得る収納管３が前端側から後端側へ向って順に複数列垂下したピット４と、該ピット４の前方に設けられ且つ上下方向に延びる冷却空気流入シャフト５とが形成されている。
【０００５】
収納管３は、筒状に形成され且つ棒状の収納管支持部材６を介してピット４の天井を構成している部分に吊り下げ支持されている。
【０００６】
この収納管３の下端部には、下方から収納管３の内部への空気流の流入を阻止することなく、複数の廃棄物固化体２が収納管３に上下方向に積み重ねた状態で収納されるようにするための格子状の廃棄物固化体支持部材７が設けられている。
【０００７】
また、躯体１には、該躯体１の外部の地上から冷却空気流入シャフト５の上端部に連通する冷却空気入口流路８と、冷却空気流入シャフト５の下端部から前記のピット４の前端最下部に連通する空気流入口９と、ピット４の後端上部から躯体１の外部の地上へ連通する空気流出口１０とが設けられている。
【０００８】
更に、躯体１には、該躯体１の外部からピット４へ略鉛直に貫通する廃棄物固化体挿入口１１が、前記の収納管３の上端に対応するように開口されている。
【０００９】
この廃棄物固化体挿入口１１は、プラグ１２及び蓋１３によって閉鎖されるようになっている。
【００１０】
前記の収納管３は、隣接するものが支持架構１４により相互に結合されると共に、ピット４の内面に固定されている。
【００１１】
収納管３の下部近傍の外側とピット４の内周面との間には、全面にわたって板状の下部プレナム形成板１５が設けてあり、収納管３の下部近傍の外側でピット４を上下に遮断している。
【００１２】
収納管３の上部近傍の外側とピット４の内周面との間には、全面にわたって板状の上部プレナム形成板１６が設けてあり、収納管３の上部近傍の外側でピット４を上下に遮断している。
【００１３】
前記の冷却空気入口流路８には、廃棄物固化体貯蔵設備の外部の空気をフィルタ１７を介して吸引する給気ブロワ１８の吐出口が連通し、また、空気流出口１０には、フィルタ１９を介して空気を吸引して廃棄物固化体貯蔵設備の外部へ吐出する排気ブロワ２０の吸引口が連通している。
【００１４】
図３及び図４に示す廃棄物固化体貯蔵設備では、給気ブロワ１８及び排気ブロワ２０を作動させると、廃棄物固化体貯蔵設備の外部の空気が、フィルタ１７、給気ブロワ１８、冷却空気入口流路８、冷却空気流入シャフト５、空気流入口９を経てピット４の下部から各収納管３の内部に流入する。
【００１５】
一方、各収納管３の内部の空気は、ピット４の上部、空気流出口１０、フィルタ１９、排気ブロワ２０を経て廃棄物固化体貯蔵設備の外部へ排出される。
【００１６】
すなわち、給気ブロワ１８及び排気ブロワ２０を作動させると、各収納管３の内部に下方から上方へ向う空気流が連続的に生じ、この空気流によって、収納管３に収納した廃棄物固化体２に内装されている放射性物質の崩壊熱が除去されることになる。
【００１７】
【発明が解決しようとする課題】
しかしながら、図３及び図４に示す廃棄物固化体貯蔵設備では、給気ブロワ１８及び排気ブロワ２０を作動させると、全ての収納管３のそれぞれに略均等に空気流が流通する。
【００１８】
すなわち、極小数の収納管３だけに廃棄物固化体２が収納されている場合においても、給気ブロワ１８の空気吐出量及び排気ブロワ２０の空気吸引量が各収納管３の全てに廃棄物固化体２が収納されている状態と同様になるように給気ブロワ１８と排気ブロワ２０を運転しないと、廃棄物固化体２に内装されている放射性物質の崩壊熱を除去することができなくなる。
【００１９】
本発明は上述した実情に鑑みてなしたもので、極小数の収納管だけに廃棄物固化体が収納されている場合に、給気ブロワの空気吐出量及び排気ブロワの空気吸引量を低減させても廃棄物固化体を収納している収納管への空気流の流量が減少しない廃棄物固化体貯蔵設備を提供することを目的としている。
【００２０】
【課題を解決するための手段】
上記の目的を達成するため、本発明の廃棄物固化体貯蔵設備では、地中に設けられたピットと、該ピットの前端側から後端側へ向って順に複数列にわたってピット内方へ垂下するように設けられ且つ内部にそれぞれ廃棄物固化体を収納し得るとともに下方から上方に向って空気流が流通し得る収納管と、該収納管の下部近傍の外周面と前記のピットの内周面との間を閉鎖する下部プレナム形成板と、収納管の上部近傍の外周面と前記のピットの内周面との間を閉鎖する上部プレナム形成板と、下部プレナム形成板よりも下方に位置するようにピットの前端下部に設けられた空気流入口と、該空気流入口へ外部の空気を送給する給気ブロワと、上部プレナム形成板よりも上方に位置するようにピットの後端上部に設けられた空気流出口と、該空気流出口から外部へ空気を排出する排気ブロワと、前記のピットの内部の下部プレナム形成板よりも下方の空間において該空間を前後に区分し且つピットの前後方向へ移動可能な仕切板と、該仕切板をピットの前後方向に移動させる移動機構と、前記の収納管の下端を閉止し得る収納管閉止プラグを備えている。
【００２１】
本発明の廃棄物固化体貯蔵設備において、極少数の収納管だけに廃棄物固化体を収納する場合には、ピットの前端側の収納管に廃棄物固化体を収納し、該廃棄物固化体が収納されている少数の収納管の列と廃棄物固化体が収納されていないその他の収納管の列との境目の直下位置へ仕切板を移動させるとともに、廃棄物固化体が収納されている収納管の列において、廃棄物固化体を収納していない他の収納管を収納管閉止プラグによって閉止し、給気ブロワからの空気が、廃棄物固化体が収納されている収納管の内部へのみ流入し、また、該収納管の内部の空気が排気ブロワにより排出される。
【００２２】
【発明の実施の形態】
以下、本発明の実施の形態を図示例に基づいて説明する。
【００２３】
図１及び図２は本発明の廃棄物固化体貯蔵設備の実施の形態の一例であり、図中、図３及び図４と同じものには同じ符号を付すことにより説明を省略する。
【００２４】
図１及び図２に示す廃棄物固化体貯蔵設備では、先に述べた図３及び図４に示すものに比べて下部プレナム形成板１５の位置を下げるとともに、収納管３の下端の廃棄物固化体支持部材７の下面を、下部プレナム形成板１５の下面に対して略同一な水平面に位置させるようにしている。
【００２５】
更に、ピット４の床面２１に、ピット４の幅方向に所定の間隔を隔てて互いに平行に且つピット４の前後方向（図１に示すＡ〜Ｂ方向）へ延びるガイドレール２２を敷設し、該ガイドレール２２に車輪２３を介して移動可能に載置され且つガイドレール２２に沿ってピット４の前後方向へ移動し得る仕切板２４を設けている。
【００２６】
この仕切板２４は、ピット４の内部の下部プレナム形成板１５よりも下方の空間において、該空間を前後（図１に示すＡ〜Ｂ方向）に区分し得るように前記の床面２１とピット４内に垂下された収納管３の下端面との間に適合する高さとピット４の内幅に適合する長さとを有する。
【００２７】
また、ピット４の後端側に隣接するように設けた機械室２５に移動機構２６を配置している。
【００２８】
この移動機構２６は、駆動装置２７と、該駆動装置２７により駆動され且つ駆動装置２７を中心としてピット４の幅方向の対称位置に配置された各ドラム２８，２８とからなる。
【００２９】
更に、各ドラム２８，２８にそれぞれ対峙するローププーリ２９，２９をピット４の前端側の床面２１に配置し、移動機構２６の各ドラム２８，２８に巻き付けられた各ロープ３０，３０のそれぞれの一端を仕切板２４のピット４の後端側（図１のＢ側）の部分に接続し、該各ロープ３０，３０のそれぞれの他端を、仕切板２４の長手方向端部の近傍を貫通させて前記の各ローププーリ２９，２９へ巻き掛けてから仕切板２４のピット４の前端側（図１のＡ側）の部分に接続する。
【００３０】
すなわち、各ロープ３０，３０の一端側をドラム２８，２８に巻き取り且つ他端側をドラム２８，２８から巻き解く方向へ駆動装置２７を回動させると、仕切板２４がガイドレール２２上をピット４の後端側（図１のＢ側）へ移動し、また、各ロープ３０，３０の一端側をドラム２８，２８から巻き解き且つ他端側をドラム２８，２８に巻き取る方向へ駆動装置２７を回動させると、仕切板２４がガイドレール２２上をピット４の前端側（図１のＡ側）へ移動するようになっている。
【００３１】
更に、前記の収納管３の内径に適合する大きさを有し、収納管３の内部下端へ挿入することにより、収納管３の下端部に設けた廃棄物固化体支持部材７を閉鎖し得る複数の収納管閉止プラグ３１を備えている。
【００３２】
次に作動について説明する。
【００３３】
極少数の収納管３だけに廃棄物固化体２を収納する場合には、ピット４の前端側に配置されている収納管３に対して、空気流入口９に近い収納管３から順次に廃棄物固化体２を収納し、該廃棄物固化体２が収納された収納管３の列において、廃棄物固化体２が収納されていない他の収納管３のそれぞれに対しては、収納管閉止プラグ３１を挿入して各収納管３の下端部の廃棄物固化体支持部材７を閉鎖する。
【００３４】
また、移動機構２６の駆動装置２７を作動させ、該駆動装置２７によって駆動されるドラム２８，２８を必要とする方向へ回動することにより、仕切板２４を廃棄物固化体２が収納されている極少数の収納管３の列と廃棄物固化体２が収納されていないその他の収納管３の列との境目の直下位置へガイドレール２２に沿って移動させ、その位置に仕切板２４を停止せしめて、ピット４の内部の下部空間を前後に区分する。
【００３５】
上述した位置に仕切板２４を停止させた後、給気ブロワ１８及び排気ブロワ２０を作動させると、廃棄物固化体貯蔵設備の外部の空気が、フィルタ１７、給気ブロワ１８、冷却空気入口流路８、冷却空気流入シャフト５、空気流入口９を経てピット４の下部へ流入するが、躯体１の外部からピット４の下部へ流入する空気は、前記の仕切板２４によって、廃棄物固化体２が収納されている収納管３よりもピット４の後方側へ流通するのを遮られ、また、廃棄物固化体２が収納された収納管３の列においては、収納管閉止プラグ３１によって、廃棄物固化体２が収納されていない他の収納管３への空気の流入が遮られ、これにより、廃棄物固化体２が収納されている収納管３の内部に対してだけ空気が流入する状態となるため、給気ブロワ１８の空気吐出量及び排気ブロワ２０の空気吸引量を低減させても廃棄物固化体２が収納されている収納管３に対する空気流の流量を十分に確保できる。
【００３６】
上記の収納管閉止プラグ３１は、列をなしている収納管３の数よりも一つ少ない数だけ用意すればよく、また、列をなしている収納管３のそれぞれに廃棄物固化体２が収納されている場合には、収納管閉止プラグ３１を使用する必要はない。
【００３７】
すなわち、図１及び図２に示す廃棄物固化体貯蔵設備では、ピット４内部の下部空間を任意の位置において前後に区分し得る仕切板２４を極少数の収納管３に廃棄物固化体２を収納している収納管３の列よりもややピット４の後端側へ位置させるとともに、廃棄物固化体２が収納されている収納管３の列において、廃棄物固化体２を収納していない他の収納管３を収納管閉止プラグ３１によって閉止すれば、給気ブロワ１８及び排気ブロワ２０の給排気量を低減させても前記の廃棄物固化体２を収納した収納管３に対する空気流の流量を十分に確保することが可能となり、収納管３に収納した廃棄物固化体２に内装されている放射性物質の崩壊熱が支障なく除去することができる。
【００３８】
なお、本発明の廃棄物固化体貯蔵設備は上述した実施の形態にのみ限定されるものではなく、本発明の要旨を逸脱しない範囲内において種々変更を加え得ることは勿論である。
【００３９】
【発明の効果】
以上述べたように、本発明の廃棄物固化体貯蔵設備によれば、下記のような種々の優れた効果を奏し得る。
【００４０】
（１）極少数の廃棄物固化体を収納管に収納する場合に、ピットの空気流入口に近い位置に配置されている収納管を選定して収納し且つ該収納管の直近のピット後端側に仕切板を位置させ、さらに廃棄物固化体を収納していない収納管の下部を収納管閉止プラグによって閉鎖すれば、給気ブロワ及び排気ブロワの給排気量を低減させても収納管に対する空気流の流量を十分に確保することが可能となる。
【００４１】
（２）上記のように、収納管に対する空気流の流量を確保できるので、収納管に収納されている廃棄物固化体に内装されている放射性物質の崩壊熱を支障なく除去することができる。
【図面の簡単な説明】
【図１】本発明の廃棄物固化体貯蔵設備の実施の形態の一例の概念を示す縦断面図である。
【図２】図１のＩＩ−ＩＩ矢視図である。
【図３】従来の廃棄物固化体貯蔵設備の一例を示す斜視図である。
【図４】図３の廃棄物固化体貯蔵設備の概念を示す縦断面図である。
【符号の説明】
２    廃棄物固化体
３    収納管
４    ピット
９    空気流入口
１０    空気流出口
１５    下部プレナム形成板
１６    上部プレナム形成板
１８    給気ブロワ
２０    排気ブロワ
２４    仕切板
２６    移動機構
３１    収納管閉止プラグ
【図１】
0003726342.tif 000002
【図２】
0003726342.tif 000003
【図３】
0003726342.tif 000004
【図４】
0003726342.tif 000005